(57)【要約】【課題】コンクリート打設用の型枠上を移動できる移動式作業足場の提供。【解決手段】移動式作業足場３は、対向する堰板間に跨って設置される互いに平行な複数のレール８，８と、レール８，８に移動可能に支持された架台９とを備え、架台９が型枠１上の所望の位置に移動し、その位置でコンクリート打設作業や均し作業を行うことができる。【選択図】図１
2018162567.tif 000002
【特許請求の範囲】
【請求項１】
対向する堰板を有する型枠上を移動可能な移動式作業足場であって、
前記対向する堰板間に跨って設置される互いに平行な複数のレールと、該レールに移動可能に支持された架台とを備えていることを特徴とする移動式作業足場。
【請求項２】
前記架台は、前記レール上を移動する移動体を備え、該移動体は、前記レールの側部に配置される案内ローラーを備えている請求項１に記載の移動式作業足場。
【請求項３】
前記案内ローラーは、平行な一対の前記レールの外側のみ又は内側のみに配置されている請求項２に記載の移動式作業足場。
【請求項４】
隣り合う前記レール間に配置され、前記対向する堰板間に架設されるレール間隔保持材を備えている請求項１〜３の何れか一に記載の移動式作業足場。
【発明の詳細な説明】
【技術分野】
【０００１】
本発明は、コンクリート用型枠に設置され、主に表面の均し作業を含むコンクリート打設工程において使用される移動式作業足場に関する。
【背景技術】
【０００２】
従来、コンクリートの打設工程においては、コンクリート用型枠の外周部に足場（以下、外周固定足場という）を設置し、作業員が外周固定足場上でバイブレータを用いた締固め作業や打設されたコンクリートの均し作業を行っていた（例えば、特許文献１を参照）。
【先行技術文献】
【特許文献】
【０００３】
【特許文献１】特開２００５−１２７０７９号公報
【発明の概要】
【発明が解決しようとする課題】
【０００４】
しかしながら、コンクリート打設区画の平面積が大きく、外周固定足場からコンクリート打設区画中央部までの距離が大きい場合、作業員が外周固定足場上で作業を行うことが困難であって、作業員が型枠内に入って作業をしなければならない場合があった。
【０００５】
一方、型枠内に鉄筋を配設する鉄筋コンクリート構造物の場合には、作業を行う範囲の鉄筋上に足場板を仮固定し、作業が終了した範囲の足場を随時撤去しつつ作業を行う方法が一般に用いられているが、この方法では、足場板の設置及び撤去に手間がかかるという問題があった。
【０００６】
また、防波堤上部工等のように無筋コンクリート構造物の場合には、型枠内に鉄筋が配置されておらず、足場板を設置することができないという問題があった。
【０００７】
そこで、本発明は、このような従来の問題に鑑み、コンクリート打設用の型枠上を移動できる移動式作業足場の提供を目的としてなされたものである。
【課題を解決するための手段】
【０００８】
上述の如き従来の問題を解決するための請求項1に記載の発明の特徴は、対向する堰板を有する型枠上を移動可能な移動式作業足場であって、前記対向する堰板間に跨って設置される互いに平行な複数のレールと、該レールに移動可能に支持された架台とを備えている移動式作業足場にある。
【０００９】
請求項２に記載の発明の特徴は、請求項１の構成に加え、前記架台は、前記レール上を移動する移動体を備え、該移動体は、前記レールの側部に配置される案内ローラーを備えていることにある。
【００１０】
請求項３に記載の発明の特徴は、請求項２の構成に加え、前記案内ローラーは、平行な一対の前記レールの外側のみ又は内側のみに配置されていることにある。
【００１１】
請求項４に記載の発明の特徴は、請求項１〜３の何れか一の構成に加え、隣り合う前記レール間に配置され、前記対向する堰板間に架設されるレール間隔保持材を備えていることにある。
【発明の効果】
【００１２】
本発明に係る移動式作業足場は、請求項１に記載の構成を具備することによって、無筋コンクリート構造物の場合のように、型枠内に足場を設置する鉄筋等が無い場合であっても、型枠上の所望の位置に足場を設けることができ、作業員が架台に搭乗した状態でコンクリートの締固め作業や均し作業等を行うことができ、或いは、打設したコンクリートの上面を歩くことなく型枠内の所望の位置で作業することができる。また、従来の型枠内に配設された鉄筋等に足場板を支持させる構造とは異なり、作業毎に足場板の設置及び撤去する必要がなく、効率よく作業を行うことができる。
【００１３】
また、本発明において、請求項２に記載の構成を具備することによって、架台がレールより脱線することを防止することができる。
【００１４】
さらに、本発明において、請求項３に記載の構成を具備することによって、脱線を防止しつつ、架台が円滑にレール上を移動することができる。
【００１５】
また、本発明において、請求項４に記載の構成を具備することによって、型枠の変形を防止し、レール間隔を一定に保持することができる。
【図面の簡単な説明】
【００１６】
【図１】本発明に係る移動式作業足場の使用態様の一例を示す平面図である。
【図２】同上のＡ−Ａ線矢視断面図である。
【図３】図1中の移動体部分を示す部分拡大平面図である。
【図４】同上の側面図である。
【図５】同上のＣ−Ｃ線矢視断面図である。
【図６】（ａ）（ｂ）はそれぞれ本発明に係る移動式作業足場の駆動手段の態様を説明するための図1中のＢ−Ｂ線矢視断面図である。
【発明を実施するための形態】
【００１７】
次に、本発明に係る移動式作業足場の実施態様を図１〜図６に示した実施例に基づいて説明する。尚、図中符号１は型枠、符号２はコンクリート、符号３は型枠１上に設置される移動式作業足場である。
【００１８】
型枠１は、型枠１の周方向に互いに間隔を置いて設置された複数の支柱（縦バタ材）４ａ，４ａ…と、各支柱４ａ，４ａ…に跨がる丸鋼管からなる横バタ材４ｂ，４ｂと、横バタ材４ｂを介して支柱４ａ，４ａ…の内側に保持された型枠パネルによって構成された堰板５，５…を備え、直立した堰板５，５…によって四方が囲まれた矩形枠状を成している。
【００１９】
支柱４ａ，４ａ…は、溝形鋼、Ｈ型鋼、角型鋼管等の部材をもって構成され、互いに型枠周方向に間隔を置いて建て込まれ、隣り合う支柱４ａ，４ａ間に跨って型枠パネルが保持され、型枠１の一方を塞ぐ堰板５が形成される。
【００２０】
型枠パネルの態様は、特に限定されないが、メタルフォーム等の鋼製型枠パネルのように、型枠パネル自体の剛性が高いものを使用することが好ましい。
【００２１】
また、互いに対向する堰板（型枠パネル）間には、特に図示しないが、セパレータが配設され、コンクリート２打設時に作用する側圧に対抗するようにしている。
【００２２】
尚、この型枠１の上部の外周部には、外周固定足場６と、外周固定足場６に支持された手摺７，７…とが設けられている。
【００２３】
移動式作業足場３は、図１、図２に示すように、対向する堰板間に跨って架設された互いに平行な一対のレール８，８と、レール８，８に移動可能に支持された架台９と、架台９を移動させる駆動手段とを備え、架台９が型枠１の上方をレール８，８に沿って移動できるようになっている。
【００２４】
また、移動式作業足場３には、レール８，８間にあって、対向する堰板５，５の上端縁中央部間に架設された梁状のレール間隔保持材１０を備え、レール間隔保持材１０の両端部が対向する堰板５，５の上端縁部にそれぞれ固定されている。
【００２５】
このレール間隔保持材１０は、対向する堰板５，５…の上端縁間を互いに支持させ、コンクリート２の打設時に各堰板５，５…に作用する側圧に対抗し、堰板５，５の撓みや歪みを防止することによって、対向する堰板５，５に跨って配置されたレール８，８の間隔を保持するようになっている。尚、このレール間隔保持材１０は、型枠用の巾止め材と兼用してもよい。
【００２６】
レール８，８は、一定の長さを有するＨ型鋼等をもって構成され、少なくとも架台９が支持される帯状の軌道８ａを備えた梁状に形成されている。
【００２７】
各レール８，８は、一定の間隔をおいて互いに対向する堰板５，５を跨ぐように配置されるとともに、その両端部が支柱４ａ，４ａ…上に架け渡した梁材に載置されている。
【００２８】
架台９は、各レール８上を移動する一対の移動体１１，１１と、両移動体１１，１１に支持された架台本体１２とを備え、レール８，８に沿って移動できるようになっている。
【００２９】
架台本体１２は、一定幅を有する平面視帯状に形成され、前後に手摺１３，１３を備え、作業員が架台本体１２上に乗って移動しつつ、コンクリート打設工程の各作業及びその補助を行えるようになっている。
【００３０】
各移動体１１は、図３〜図５に示すように、架台本体１２の両側部に固定された取付フレーム１４，１４と、取付フレーム１４，１４の下端に固定されたスカート部１５と、スカート部１５内に配置された車輪１６，１６とを備え、車輪１６，１６を介してレール８，８の軌道８ａ上を移動できるようになっている。
【００３１】
取付フレーム１４は、Ｌ型鋼等によって構成され、架台本体１２の側面にボルト等によって固定されている。
【００３２】
スカート部１５は、溝形鋼等によって構成され、取付フレーム１４の下端に溶接等によって固定された天板１５ａと、天板１５ａの両側縁より垂下された一対の側板１５ｂ，１５ｂとを備え、天板１５ａの下面に車輪１６，１６が回転自在に支持されている。
【００３３】
また、各移動体１１には、取付フレーム１４にレール８と交差する方向に支持されたローラー支持体１７と、ローラ支持体１７の両端に支持され、レール８，８の側方に配置される案内ローラー１８，１８…とを備え、案内ローラー１８，１８…がレール８，８側面に案内された状態で移動し、架台９の脱線が防止されている。
【００３４】
案内ローラー１８，１８…は、取付フレーム１４の両端部より垂下された回転軸１８ａと、回転軸１８ａに回転自在に支持された円柱状のローラー本体１８ｂとを備え、両ローラー本体１８ｂ，１８ｂの外周面がレール８の側面に当接し、案内ローラー１８，１８によってレール８を把持するようになっている。
【００３５】
尚、案内ローラー１８，１８…は、互いに隣り合うレール８，８の外側のみ又は内側のみに配置してもよい。その場合、各レール８，８に対し案内ローラー１８，１８…が一方側のみで案内されるので、脱線を防止しつつ円滑に移動することができる。
【００３６】
駆動手段は、例えば、図６（ａ）に示すように、一端が架台本体１２に連結され、他端側が型枠１上端部（本実施例では外周固定足場６の手摺７部分）に支持された滑車１９を介して折り返された移動用ロープ２０を備え、架台９上の作業員が移動用ロープ２０を引っ張ることにより、移動用ロープ２０に引っ張られて架台９が移動するようになっている。
【００３７】
また、駆動手段は、図６（ｂ）に示すように、架台９上にウインチ２１を設置し、ウインチ２１より繰り出したワイヤ２２の先端を移動方向前方の型枠１上端（本実施例では手摺７）に固定し、ウインチ２１の巻取り動作により架台９が移動するようにしてもよい。
【００３８】
このように構成された移動式作業足場３では、駆動手段によって架台９がレール８，８上を移動し、且つ、作業員が架台９上を移動することができるので、作業員が型枠１内に入らずとも型枠１上の所望の位置で作業することができる。
【００３９】
よって、作業員は、型枠１上の所望の位置において、架台９に搭乗した状態でコンクリート締固め作業や均し作業等を行うことができ、或いは、打設したコンクリート２上を歩くことなく型枠１内の所望の位置で作業することができる。
【００４０】
さらに、この移動式作業足場３は、無筋コンクリート構造物のように型枠内に足場板を設置可能な鉄筋が存在しない場合であっても適用でき、また、型枠内の鉄筋に足場板を設置するような場合と異なり、作業毎に足場板を撤去する必要が無いので効率よく作業を行うことができる。
【００４１】
尚、上述の実施例では、架台９を一対のレール８，８に支持させた例について説明したが、レールは３本以上の複数であってもよい。
【００４２】
また、上述の実施例では、レール間隔保持材１０をレール８，８と平行に設けた例について説明したが、レール８，８と交差する方向で対向する堰板５，５間にレール間隔保持材１０とは別途に型枠用の巾止め材を設置してもよい。
【００４３】
尚、上述の実施例では、四方が堰板に囲まれた型枠を例に説明したが、型枠は、少なくとも互いに対向する二面の堰板を備えていればよく、例えば、既設のコンクリート構造物の端面を利用し、当該既設コンクリート構造物と連続してコンクリートを打設する場合には、堰板は対向する二面又は三面を囲むように配置されていればよい。
【符号の説明】
【００４４】
１  型枠
２  コンクリート
３  移動式作業足場
４  支柱（縦バタ材）
５  型枠パネル
６  外周固定足場
７  手摺
８  レール
９  架台
１０  レール間隔保持材
１１  移動体
１２  架台本体
１３  手摺
１４  取付フレーム
１５  スカート部
１６  車輪
１７  ローラー支持体
１８  案内ローラー
１９  滑車
２０  移動用ロープ
２１  ウインチ
２２  ワイヤ
【図１】
2018162567.tif 000003
【図２】
2018162567.tif 000004
【図３】
2018162567.tif 000005
【図４】
2018162567.tif 000006
【図５】
2018162567.tif 000007
【図６】
2018162567.tif 000008
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
対向する堰板を有する型枠上を移動可能な移動式作業足場であって、
両端部が型枠に支持され、前記対向する堰板間に跨って架設される互いに平行な複数のレールと、該複数のレール上に移動可能に架設された架台と、隣り合う前記レール間に配置され、前記対向する堰板間に架設されるレール間隔保持材とを備えていることを特徴とする移動式作業足場。
【請求項２】
前記架台は、前記レール上を移動する移動体を備え、該移動体は、前記レールの側部に配置される案内ローラーを備えている請求項１に記載の移動式作業足場。
【請求項３】
前記案内ローラーは、平行な一対の前記レールの外側のみ又は内側のみに配置されている請求項２に記載の移動式作業足場。
【手続補正２】
【補正対象書類名】明細書
【補正対象項目名】全文
【補正方法】変更
【補正の内容】
【発明の詳細な説明】
【技術分野】
【０００１】
本発明は、コンクリート用型枠に設置され、主に表面の均し作業を含むコンクリート打設工程において使用される移動式作業足場に関する。
【背景技術】
【０００２】
従来、コンクリートの打設工程においては、コンクリート用型枠の外周部に足場（以下、外周固定足場という）を設置し、作業員が外周固定足場上でバイブレータを用いた締固め作業や打設されたコンクリートの均し作業を行っていた（例えば、特許文献１を参照）。
【先行技術文献】
【特許文献】
【０００３】
【特許文献１】特開２００５−１２７０７９号公報
【発明の概要】
【発明が解決しようとする課題】
【０００４】
しかしながら、コンクリート打設区画の平面積が大きく、外周固定足場からコンクリート打設区画中央部までの距離が大きい場合、作業員が外周固定足場上で作業を行うことが困難であって、作業員が型枠内に入って作業をしなければならない場合があった。
【０００５】
一方、型枠内に鉄筋を配設する鉄筋コンクリート構造物の場合には、作業を行う範囲の鉄筋上に足場板を仮固定し、作業が終了した範囲の足場を随時撤去しつつ作業を行う方法が一般に用いられているが、この方法では、足場板の設置及び撤去に手間がかかるという問題があった。
【０００６】
また、防波堤上部工等のように無筋コンクリート構造物の場合には、型枠内に鉄筋が配置されておらず、足場板を設置することができないという問題があった。
【０００７】
そこで、本発明は、このような従来の問題に鑑み、コンクリート打設用の型枠上を移動できる移動式作業足場の提供を目的としてなされたものである。
【課題を解決するための手段】
【０００８】
上述の如き従来の問題を解決するための請求項1に記載の発明の特徴は、対向する堰板を有する型枠上を移動可能な移動式作業足場であって、両端部が型枠に支持され、前記対向する堰板間に跨って架設される互いに平行な複数のレールと、該複数のレール上に移動可能に架設された架台と、隣り合う前記レール間に配置され、前記対向する堰板間に架設されるレール間隔保持材とを備えている移動式作業足場にある。
【０００９】
請求項２に記載の発明の特徴は、請求項１の構成に加え、前記架台は、前記レール上を移動する移動体を備え、該移動体は、前記レールの側部に配置される案内ローラーを備えていることにある。
【００１０】
請求項３に記載の発明の特徴は、請求項２の構成に加え、前記案内ローラーは、平行な一対の前記レールの外側のみ又は内側のみに配置されていることにある。
【発明の効果】
【００１１】
本発明に係る移動式作業足場は、請求項１に記載の構成を具備することによって、無筋コンクリート構造物の場合のように、型枠内に足場を設置する鉄筋等が無い場合であっても、型枠上の所望の位置に足場を設けることができ、型枠の変形を防止し、レール間隔を一定に保持することができ、作業員が架台に搭乗した状態でコンクリートの締固め作業や均し作業等を行うことができ、或いは、打設したコンクリートの上面を歩くことなく型枠内の所望の位置で作業することができる。また、従来の型枠内に配設された鉄筋等に足場板を支持させる構造とは異なり、作業毎に足場板の設置及び撤去する必要がなく、効率よく作業を行うことができる。
【００１２】
また、本発明において、請求項２に記載の構成を具備することによって、架台がレールより脱線することを防止することができる。
【００１３】
さらに、本発明において、請求項３に記載の構成を具備することによって、脱線を防止しつつ、架台が円滑にレール上を移動することができる。
【図面の簡単な説明】
【００１４】
【図１】本発明に係る移動式作業足場の使用態様の一例を示す平面図である。
【図２】同上のＡ−Ａ線矢視断面図である。
【図３】図1中の移動体部分を示す部分拡大平面図である。
【図４】同上の側面図である。
【図５】同上のＣ−Ｃ線矢視断面図である。
【図６】（ａ）（ｂ）はそれぞれ本発明に係る移動式作業足場の駆動手段の態様を説明するための図1中のＢ−Ｂ線矢視断面図である。
【発明を実施するための形態】
【００１５】
次に、本発明に係る移動式作業足場の実施態様を図１〜図６に示した実施例に基づいて説明する。尚、図中符号１は型枠、符号２はコンクリート、符号３は型枠１上に設置される移動式作業足場である。
【００１６】
型枠１は、型枠１の周方向に互いに間隔を置いて設置された複数の支柱（縦バタ材）４ａ，４ａ…と、各支柱４ａ，４ａ…に跨がる丸鋼管からなる横バタ材４ｂ，４ｂと、横バタ材４ｂを介して支柱４ａ，４ａ…の内側に保持された型枠パネルによって構成された堰板５，５…を備え、直立した堰板５，５…によって四方が囲まれた矩形枠状を成している。
【００１７】
支柱４ａ，４ａ…は、溝形鋼、Ｈ型鋼、角型鋼管等の部材をもって構成され、互いに型枠周方向に間隔を置いて建て込まれ、隣り合う支柱４ａ，４ａ間に跨って型枠パネルが保持され、型枠１の一方を塞ぐ堰板５が形成される。
【００１８】
型枠パネルの態様は、特に限定されないが、メタルフォーム等の鋼製型枠パネルのように、型枠パネル自体の剛性が高いものを使用することが好ましい。
【００１９】
また、互いに対向する堰板（型枠パネル）間には、特に図示しないが、セパレータが配設され、コンクリート２打設時に作用する側圧に対抗するようにしている。
【００２０】
尚、この型枠１の上部の外周部には、外周固定足場６と、外周固定足場６に支持された手摺７，７…とが設けられている。
【００２１】
移動式作業足場３は、図１、図２に示すように、対向する堰板間に跨って架設された互いに平行な一対のレール８，８と、レール８，８に移動可能に支持された架台９と、架台９を移動させる駆動手段とを備え、架台９が型枠１の上方をレール８，８に沿って移動できるようになっている。
【００２２】
また、移動式作業足場３には、レール８，８間にあって、対向する堰板５，５の上端縁中央部間に架設された梁状のレール間隔保持材１０を備え、レール間隔保持材１０の両端部が対向する堰板５，５の上端縁部にそれぞれ固定されている。
【００２３】
このレール間隔保持材１０は、対向する堰板５，５…の上端縁間を互いに支持させ、コンクリート２の打設時に各堰板５，５…に作用する側圧に対抗し、堰板５，５の撓みや歪みを防止することによって、対向する堰板５，５に跨って配置されたレール８，８の間隔を保持するようになっている。尚、このレール間隔保持材１０は、型枠用の巾止め材と兼用してもよい。
【００２４】
レール８，８は、一定の長さを有するＨ型鋼等をもって構成され、少なくとも架台９が支持される帯状の軌道８ａを備えた梁状に形成されている。
【００２５】
各レール８，８は、一定の間隔をおいて互いに対向する堰板５，５を跨ぐように配置されるとともに、その両端部が支柱４ａ，４ａ…上に架け渡した梁材に載置されている。
【００２６】
架台９は、各レール８上を移動する一対の移動体１１，１１と、両移動体１１，１１に支持された架台本体１２とを備え、レール８，８に沿って移動できるようになっている。
【００２７】
架台本体１２は、一定幅を有する平面視帯状に形成され、前後に手摺１３，１３を備え、作業員が架台本体１２上に乗って移動しつつ、コンクリート打設工程の各作業及びその補助を行えるようになっている。
【００２８】
各移動体１１は、図３〜図５に示すように、架台本体１２の両側部に固定された取付フレーム１４，１４と、取付フレーム１４，１４の下端に固定されたスカート部１５と、スカート部１５内に配置された車輪１６，１６とを備え、車輪１６，１６を介してレール８，８の軌道８ａ上を移動できるようになっている。
【００２９】
取付フレーム１４は、Ｌ型鋼等によって構成され、架台本体１２の側面にボルト等によって固定されている。
【００３０】
スカート部１５は、溝形鋼等によって構成され、取付フレーム１４の下端に溶接等によって固定された天板１５ａと、天板１５ａの両側縁より垂下された一対の側板１５ｂ，１５ｂとを備え、天板１５ａの下面に車輪１６，１６が回転自在に支持されている。
【００３１】
また、各移動体１１には、取付フレーム１４にレール８と交差する方向に支持されたローラー支持体１７と、ローラ支持体１７の両端に支持され、レール８，８の側方に配置される案内ローラー１８，１８…とを備え、案内ローラー１８，１８…がレール８，８側面に案内された状態で移動し、架台９の脱線が防止されている。
【００３２】
案内ローラー１８，１８…は、取付フレーム１４の両端部より垂下された回転軸１８ａと、回転軸１８ａに回転自在に支持された円柱状のローラー本体１８ｂとを備え、両ローラー本体１８ｂ，１８ｂの外周面がレール８の側面に当接し、案内ローラー１８，１８によってレール８を把持するようになっている。
【００３３】
尚、案内ローラー１８，１８…は、互いに隣り合うレール８，８の外側のみ又は内側のみに配置してもよい。その場合、各レール８，８に対し案内ローラー１８，１８…が一方側のみで案内されるので、脱線を防止しつつ円滑に移動することができる。
【００３４】
駆動手段は、例えば、図６（ａ）に示すように、一端が架台本体１２に連結され、他端側が型枠１上端部（本実施例では外周固定足場６の手摺７部分）に支持された滑車１９を介して折り返された移動用ロープ２０を備え、架台９上の作業員が移動用ロープ２０を引っ張ることにより、移動用ロープ２０に引っ張られて架台９が移動するようになっている。
【００３５】
また、駆動手段は、図６（ｂ）に示すように、架台９上にウインチ２１を設置し、ウインチ２１より繰り出したワイヤ２２の先端を移動方向前方の型枠１上端（本実施例では手摺７）に固定し、ウインチ２１の巻取り動作により架台９が移動するようにしてもよい。
【００３６】
このように構成された移動式作業足場３では、駆動手段によって架台９がレール８，８上を移動し、且つ、作業員が架台９上を移動することができるので、作業員が型枠１内に入らずとも型枠１上の所望の位置で作業することができる。
【００３７】
よって、作業員は、型枠１上の所望の位置において、架台９に搭乗した状態でコンクリート締固め作業や均し作業等を行うことができ、或いは、打設したコンクリート２上を歩くことなく型枠１内の所望の位置で作業することができる。
【００３８】
さらに、この移動式作業足場３は、無筋コンクリート構造物のように型枠内に足場板を設置可能な鉄筋が存在しない場合であっても適用でき、また、型枠内の鉄筋に足場板を設置するような場合と異なり、作業毎に足場板を撤去する必要が無いので効率よく作業を行うことができる。
【００３９】
尚、上述の実施例では、架台９を一対のレール８，８に支持させた例について説明したが、レールは３本以上の複数であってもよい。
【００４０】
また、上述の実施例では、レール間隔保持材１０をレール８，８と平行に設けた例について説明したが、レール８，８と交差する方向で対向する堰板５，５間にレール間隔保持材１０とは別途に型枠用の巾止め材を設置してもよい。
【００４１】
尚、上述の実施例では、四方が堰板に囲まれた型枠を例に説明したが、型枠は、少なくとも互いに対向する二面の堰板を備えていればよく、例えば、既設のコンクリート構造物の端面を利用し、当該既設コンクリート構造物と連続してコンクリートを打設する場合には、堰板は対向する二面又は三面を囲むように配置されていればよい。
【符号の説明】
【００４２】
１  型枠
２  コンクリート
３  移動式作業足場
４  支柱（縦バタ材）
５  型枠パネル
６  外周固定足場
７  手摺
８  レール
９  架台
１０  レール間隔保持材
１１  移動体
１２  架台本体
１３  手摺
１４  取付フレーム
１５  スカート部
１６  車輪
１７  ローラー支持体
１８  案内ローラー
１９  滑車
２０  移動用ロープ
２１  ウインチ
２２  ワイヤ